(57)【要約】      （修正有）【課題】複数の様々なスマートフォンに、同じ時間に様々な画像および映像を再生、表示させ、スマートフォンのプレイ性および趣味性を上昇させる。【解決手段】ＡＰＰサーバから、制御情報をクラウドプッシュサーバ経由でアリケーションを有するスマートフォンにプッシュする。前記スマートフォンが該制御情報を受信すると、参加しようとするイベントのイベント情報を取得して、該情報を前記プッシュサーバに送る。イベント当日、前記プッシュサーバが複数のスマートフォンユーザに情報をプッシュして、複数のユーザに前記アプリケーションを起動するように通知し、スマートフォンディスプレイがイベント指定の図案および動画を表示、再生するように制御する。【選択図】図１
2018022471.tif 000002
【特許請求の範囲】
【請求項１】
複数のスマートフォンディスプレイおよびフラッシュの制御方法であって、
ＡＰＰサーバから、制御情報をクラウドプッシュサーバに送信することと；
前記クラウドプッシュサーバが、前記制御情報を制御対象であり、アプリケーションＡＰＰを有する複数のスマートフォン内にプッシュすることと；
前記複数のスマートフォンが該制御情報を受信すると、ユーザに前記アプリケーションＡＰＰを起動するように通知し、さらにスマートフォンで参加しようとするイベントのイベント情報を取得して、該情報を前記クラウドプッシュサーバに送ることと；
前記クラウドプッシュサーバが前記イベント情報を受信すると、該イベント情報を確認することと；
イベント当日の所定時間内に、前記クラウドプッシュサーバが複数のスマートフォンユーザに情報をプッシュして、複数のユーザに前記アプリケーションＡＰＰを起動するように通知し、スマートフォンディスプレイがイベント指定の図案および動画を表示、再生するように制御し、さらにフラッシュを制御することと、を含む方法。
【請求項２】
前記方法が、複数のスマートフォンおよびサーバの同期、プッシュによるフラッシュの速やかな制御を含むことを特徴とする、請求項１に記載の複数のスマートフォンディスプレイおよびフラッシュの制御方法。
【請求項３】
前記アプリケーションＡＰＰに対してプログラミングを行い、スマートフォンのフラッシュの明滅頻度および明滅リズムを制御して、様々な図案を得ることを特徴とする、請求項１に記載の複数のスマートフォンディスプレイおよびフラッシュの制御方法。
【請求項４】
前記イベント情報がイベント日、イベント場所および座席情報を含むことを特徴とする、請求項１に記載の複数のスマートフォンディスプレイおよびフラッシュの制御方法。
【請求項５】
前記クラウドプッシュサーバが、ＩＯＳシステムにおけるプッシュ通知サーバおよびＡｎｄｒｏｉｄシステムにおけるグーグルクラウドメッセージングサーバを含むことを特徴とする、請求項１に記載の複数のスマートフォンディスプレイおよびフラッシュの制御方法。
【請求項６】
前記スマートフォンで参加しようとするイベントのイベント情報を取得するのが、スマートフォンでイベントのチケットの二次元コードをスキャンすることであることを特徴とする、請求項１に記載の複数のスマートフォンディスプレイおよびフラッシュの制御方法。
【請求項７】
前記アプリケーションＡＰＰがモバイルＯＳのバックグラウンドで動作し、これにより前記スマートフォンが最新の情報およびデータを受信することができることを保証することを特徴とする、請求項２に記載の複数のスマートフォンディスプレイおよびフラッシュの制御方法。
【請求項８】
前記再生するデータが特定の図案および色を含み、様々な図案および色の組合せを組み合わせて再生することを特徴とする、請求項２に記載の複数のスマートフォンディスプレイおよびフラッシュの制御方法。
【発明の詳細な説明】
【技術分野】
【０００１】
本発明は、スマートフォンディスプレイおよびフラッシュの制御方法に関し、より具体的に、各種イベントに用いられ、クラウドから情報を送信することにより、各種様々なシステムのスマートフォンディスプレイの表示を制御する方法に関する。
【背景技術】
【０００２】
生活方式の現代化が進むことによって、スマートフォンはすでに人々の生活に大きく入り込んでいる。現在、スマートフォンにインストールされている既存の各種アプリケーションは、いずれも情報のプッシュを主としており、大量のスマートフォンを制御し、さらに様々な色、明暗および図案を組み合わせ、様々な様式のデザインを生成する関連プログラムはまだない。
【０００３】
例えば、中国公告特許第１０３３６５４４１号明細書は、コンピュータからＡｎｄｒｏｉｄスマートフォンのデスクトップを遠隔制御する方法を開示している。コンピュータからＡｎｄｒｏｉｄスマートフォンにタッチイベントを送信して、コマンドインジェクションを行う工程１と；Ａｎｄｒｏｉｄスマートフォンが、カレントメモリ中にスマートフォンディスプレイの基本情報を有するかどうかを判断し、有する場合、工程５を実行し、有さない場合、工程３を実行する工程２と；Ａｎｄｒｏｉｄスマートフォンのディスプレイのデバイス情報を取得する工程３と；前記スマートフォンディスプレイのデバイス情報を解析し、スマートフォンディスプレイの基本情報を得る工程４と；制御点のディスプレイ座標を、Ａｎｄｒｏｉｄスマートフォンのディスプレイが識別することができる実際の物理コードの座標に変換する工程５と；ディスプレイの型に基づいて、複合コマンドを構築し、ディスプレイのデバイスナンバーに基づいて、Ａｎｄｒｏｉｄスマートフォンのディスプレイデバイスを起動し、複合コマンドによりＡｎｄｒｏｉｄスマートフォンにタッチイベントをインジェクションすることによって、コンピュータからＡｎｄｒｏｉｄスマートフォンのデスクトップを遠隔制御することを実現する工程６と、を含む。明らかに、該方法は依然として１つのスマートフォンを制御することに留まっており、複数のスマートフォンのディスプレイを同時に制御することについては、該方法では明らかにどうすることもできない。
【０００４】
このため、既存技術を改良する必要があり、新規制御方法を提供し、複数のスマートフォンディスプレイの表示を同時に制御することができるようする。
【先行技術文献】
【特許文献】
【０００５】
【特許文献１】中国公告特許第１０３３６５４４１号明細書
【発明の概要】
【発明が解決しようとする課題】
【０００６】
本発明の目的は、既存技術における上記問題を解決することであり、スマートフォンディスプレイおよびフラッシュの新規制御方法を提供する。複数のスマートフォンディスプレイを同時に制御することができ、複数のスマートフォンディスプレイに様々な色、図案および色合いを表示することもでき、スマートフォンの遊び方を大幅に改善した。
【課題を解決するための手段】
【０００７】
したがって、上記目的に対して提供する本発明の技術案は、複数のスマートフォンディスプレイおよびフラッシュの制御方法である。
ＡＰＰサーバから、制御情報をクラウドプッシュサーバに送信することと；
前記クラウドプッシュサーバが、前記制御情報を制御対象であり、アプリケーションＡＰＰを有する複数のスマートフォン内にプッシュすることと；
前記複数のスマートフォンが該制御情報を受信すると、ユーザに前記アプリケーションＡＰＰを起動するように通知し、さらにスマートフォンで参加しようとするイベントのイベント情報を取得して、該情報を前記クラウドプッシュサーバに送ることと；
前記クラウドプッシュサーバが前記イベント情報を受信すると、該イベント情報を確認し、さらに直ちにサーバメッセージを受信することができ、これによりスマートフォンディスプレイおよびフラッシュを制御することと；
イベント当日の所定時間内に、前記クラウドプッシュサーバが複数のスマートフォンユーザに情報をプッシュして、複数のユーザに前記アプリケーションＡＰＰを起動するように通知し、スマートフォンディスプレイがイベント指定の図案および動画を表示、再生するように制御し、さらにフラッシュを制御することと、を含む。
【０００８】
本発明の複数のスマートフォンディスプレイおよびフラッシュの制御方法に基づくと、スマートフォンおよびサーバは、絶えずデータをバックグラウンド同期し、これにより各スマートフォンの時間が同じになるように保持する。
【０００９】
本発明の複数のスマートフォンディスプレイおよびフラッシュの制御方法に基づくと、前記アプリケーションＡＰＰに対してプログラミングを行い、スマートフォンのフラッシュの明滅頻度および明滅リズムを制御して、様々な図案を得る。
【００１０】
本発明の複数のスマートフォンディスプレイおよびフラッシュの制御方法における一実施例に基づくと、前記イベント情報はイベント日、イベント場所および座席情報を含む。
【００１１】
本発明の複数のスマートフォンディスプレイおよびフラッシュの制御方法における一実施例に基づくと、前記クラウドプッシュサーバは、ＩＯＳシステムにおけるプッシュ通知サーバおよびＡｎｄｒｏｉｄシステムにおけるグーグルクラウドメッセージングサーバ含む。
【００１２】
本発明の複数のスマートフォンディスプレイおよびフラッシュの制御方法における一実施例に基づくと、前記スマートフォンで参加しようとするイベントのイベント情報を取得するのは、スマートフォンでイベントのチケットの二次元コードをスキャンすることである。
【００１３】
本発明の複数のスマートフォンディスプレイおよびフラッシュの制御方法における一実施例に基づくと、前記アプリケーションＡＰＰはモバイルＯＳのバックグラウンドで動作し、これにより前記スマートフォンが最新の情報およびデータを受信することができることを保証する。
【００１４】
本発明の複数のスマートフォンディスプレイおよびフラッシュの制御方法における一実施例に基づくと、前記再生するデータは特定の図案および色を含み、様々な図案および色の組合せを組み合わせて再生する。
【００１５】
上記改良した技術案により、プッシュ方式によって、様々なシステム（例えばＩＯＳシステムまたはＡｎｄｒｏｉｄシステム）をインストールしたスマートフォンは、相応するアプリケーションＡＰＰを予めインストールして、様々なイベント情報を取得することができる。続いて、サーバがプッシュした情報により、ディスプレイが表示する内容を受信する。スマートフォンおよびサーバは、絶えずデータをバックグラウンド同期し、様々な複数のスマートフォンに同じ時間に画像および映像を再生、表示させることができる。該方法は、同じ時間内に複数の様々なスマートフォンディスプレイに表示されるように制御することができ、スマートフォンのプレイ性および趣味性が上昇した。
【図面の簡単な説明】
【００１６】
図を参考にし、実例により本発明のさらなる目的、特性、特徴および利点をより詳細に説明する。
【００１７】
【図１】図１は、本発明の一実施例に基づく、複数のスマートフォンディスプレイおよびフラッシュの制御方法におけるブロック図である。
【発明を実施するための形態】
【００１８】
図１に示す本発明の複数のスマートフォンディスプレイおよびフラッシュの制御方法は、以下の工程を含む。
１００  ＡＰＰサーバから、制御情報をクラウドプッシュサーバに送信する。
２００  前記クラウドプッシュサーバが、前記制御情報を制御対象であり、アプリケーションＡＰＰを有する複数のスマートフォン内にプッシュする。
３００  前記複数のスマートフォンが該制御情報を受信すると、ユーザに前記アプリケーションＡＰＰを起動するように通知する。さらにスマートフォンで参加しようとするイベントのイベント情報を取得して、該情報を前記クラウドプッシュサーバに送る。
４００  前記クラウドプッシュサーバは前記イベント情報を受信すると、該イベント情報を確認する。
５００  イベント当日の所定時間内に、前記クラウドプッシュサーバが複数のスマートフォンユーザに情報をプッシュして、複数のユーザに前記アプリケーションＡＰＰを起動するように通知する。スマートフォンおよびサーバは、絶えずデータをバックグラウンド同期し、スマートフォンディスプレイがイベント指定の図案および動画を表示、再生するように制御する。
【００１９】
工程３００において、前記複数のスマートフォンが該制御情報を受信すると、スマートフォンユーザはプッシュされた情報を読み取り、その後、前記情報の通知に基づいて、ユーザは前記アプリケーションＡＰＰを自発的に起動する。このとき、ユーザが参加するイベントのチケットまたはその他の入場許可を証明するものを有する場合、スマートフォンで上面の情報、例えばバーコード、または二次元コードなどをスキャンして、バーコードおよび二次元コードの情報を読み取ることができる。参加しようとするイベントの具体的なイベント情報を取得すると、ユーザはこれらの具体的な情報を前記クラウドプッシュサーバに送る。具体的に、本発明の複数のスマートフォンディスプレイおよびフラッシュの制御方法における一実施例に基づくと、前記イベント情報はイベント日、イベント場所、座席情報を含む。
【００２０】
さらに、工程４００に基づき、前記クラウドプッシュサーバは前記具体的なイベント情報を受信すると、予め設定した情報に基づいて比較、確認する。イベントが開始すると、スマートフォンおよびサーバは絶えずデータをバックグラウンド同期し、これにより同期した複数ユーザのスマートフォンディスプレイを同じ時間に起動させることができる。
【００２１】
情報を確認および判断する工程が完了すると、工程５００において、イベント当日の時間に、前記クラウドプッシュサーバが、複数のスマートフォンユーザに継続して情報をプッシュし、複数のスマートフォンユーザに前記アプリケーションＡＰＰを起動するように通知する。さらにその後、スマートフォンおよびサーバは、絶えずデータをバックグラウンド同期し、ユーザのスマートフォンディスプレイがイベント指定の図案および動画を表示、再生するように制御する。スマートフォンディスプレイでイベント指定の図案および動画を再生し、趣味性が増した。スマートフォンユーザに最新の情報およびデータを取得させるため、前記アプリケーションＡＰＰはスマートフォンのバックグラウンドで動作する。すなわちバックグラウンドモードで動作しており、スマートフォンユーザは最新のプッシュ情報に速やかに気付くことができる。
【００２２】
さらに、本発明の複数のスマートフォンディスプレイおよびフラッシュの制御方法における一実施例に基づくと、前記アプリケーションＡＰＰに対してプログラミングを行うこともでき、前記アプリケーションＡＰＰに、スマートフォンのフラッシュの明滅頻度および明滅リズムを制御させて、様々な図案を得ることができる。このように、たとえ昼間のイベントであっても、豊富な画面表示を得ることができる。
【００２３】
本発明のスマートフォンディスプレイおよびフラッシュの制御方法における一実施例に基づくと、前記再生するデータは特定の図案および色を含み、様々な図案および色の組合せを組み合わせて再生する。
【００２４】
上記改良した技術案により、プッシュ方式によって、様々なシステム（例えばＩＯＳシステムまたはＡｎｄｒｏｉｄシステム）をインストールしたスマートフォンは、相応するアプリケーションＡＰＰを予めインストールして、様々なイベントの情報を取得することができる。続いて、サーバがプッシュした情報により、ディスプレイが表示する内容を受信する。スマートフォンおよびサーバは、絶えずデータをバックグラウンド同期し、様々な複数のスマートフォンに同じ時間に様々な画像および映像を再生、表示させることができる。この他、該方法は、同じ時間内に複数の様々なスマートフォンディスプレイに表示されるように制御することができ、スマートフォンのプレイ性および趣味性が上昇した。
【００２５】
上記は図を参考にして、本発明の好ましい実施例を詳細に記載している。当業者には明白であるが、明確な目的のため、本発明を理解するのに特に重要でないいくつかの特徴は、図に記載しない、または示さない。
【００２６】
この他、本出願に記載の方法は上記に記載の具体的な実施例に限定されず、さらに当業者は本出願の教示または範囲を逸脱しない状況で、具体的な実施例に対して各種の変更および修正を行うことができることも理解しなければならない。例えば、本発明の範囲内にあるべき本出願の範囲において、各種実施例または例示的な実施例の工程、素子および／または特徴は、相互に組み合わせる、さらに／または相互に置換することができる。
【図１】
2018022471.tif 000003